【事件の表示】
　平成　６年特許願第２７０４７７号「皮膚洗浄剤組成物」拒絶査定不服審判事件〔平成　８年　４月２３日出願公開、特開平　８−１０４６１９〕について、次のとおり審決する。
【結　論】
　本件審判の請求は、成り立たない。
【理　由】
１．手続の経緯・本願発明
　
　本願は、平成６年１０月６日の出願であって、その請求項１〜２に係る発明は、明細書の記載からみて、その特許請求の範囲の請求項１〜２に記載された次のとおりのものと認める。（以下、本願の請求項１に記載された発明を「請求項１に係る発明」と、本願の請求項２に記載された発明を「請求項２に係る発明」という。）
　
「【請求項１】　分岐脂肪族アルコールエチレンオキシド付加物の少なくとも１種または２種以上と水溶性高分子と水を含有し、油性基剤を含有しないことを特徴とするジェル状皮膚洗浄剤組成物。
 【請求項２】　アミド型非イオン界面活性剤を配合することを特徴とする請求項１のジェル状皮膚洗浄剤組成物。」
　
２．引用例
　
＜原査定の理由である平成１３年７月２４日付けの拒絶の理由に記載された特開平６−１９２０３６号公報（以下「引用例１」という。）の記載事項＞
　
(1-1)「メーキャップ除去剤あるいは毛髪又は皮膚用の脱脂組成物として用いるのに適した水性化粧品組成物であって、１０〜１５の平均ＨＬＢ値を有する１〜２５重量％の１つ又はそれ以上の非イオン性第二分枝鎖若しくは直鎖又は第一分枝鎖アルコールアルコキシラート界面活性剤を水性溶液中に含有して成る組成物。」（特許請求の範囲の請求項１）
　
(1-2)「さらに増粘剤を含有する請求項１〜１０のいずれか一項に記載の化粧品組成物。」（特許請求の範囲の請求項１１）
　
(1-3)「増粘剤が、カルボマー；・・・；非イオンポリマー、特に非イオン性セルロース誘導体；・・・；天然ゴム；・・・より成る群から選択される請求項１１記載の化粧品組成物。」（特許請求の範囲の請求項１２）
　
(1-4)「さらにシリコーン成分を含有する請求項１〜１２のいずれか一項に記載の化粧品組成物。」（特許請求の範囲の請求項１３）
　
(1-5)「・・・、ゲル、・・・の形態である請求項１〜１３のいずれか一項に記載の化粧品組成物。」（特許請求の範囲の請求項１４）
　
(1-6)「好ましくは、組成物中の非イオン界面活性剤は、約Ｃ10〜Ｃ16、さらに好ましくは約Ｃ12〜Ｃ14の平均アルキル鎖長を有する。好ましいアルコキシラート基は、酸化エチレン又は酸化プロピレン残基であり、あるいはこのような残基の混合物でさえある。酸化エチレン基が特に好ましい。好ましくは、界面活性剤は、１分子当たり平均約５〜９個の酸化エチレン基、さらに好ましくは約５〜８個の、さらに好ましくは約５〜７個でさえある酸化エチレン基を有する」（段落【０００７】、３頁３欄１５〜２３行）
　
(1-7)「好ましい増粘剤としては：カルボマー・・・例えばＣａｒｂｏｐｏｌ　９１０、９３４、９４０、９４１及び１３８２のようなＣａｒｂｏｐｏｌ類・・・；非イオンポリマー、・・・Ｎａｔｒｏｓｏｌ（ヒドロキシエチルセルロース）；・・・天然ゴム（例えばグアーゴム、カラギーナンゴム、・・・、キサンタンゴム、・・・が挙げられる」（段落【００２７】、４頁５欄４８行〜６欄１５行）
　
(1-8)「本発明の化粧品組成物は・・・、例えば・・・シリコーンのような少量の柔軟化剤油・・・を含有してもよい。」（段落【００３１】、４頁６欄４６行〜５頁７欄３行）
　
(1-9)「本発明の好ましい態様では、メーキャップ除去又は脱脂組成物は、例えば・・・、ゲル、・・・のような簡単な液体製品の形態である」（段落【００３２】、５頁７欄４〜７行）
　
＜同じく拒絶の理由に記載された特開平４−１６９５１９号公報（以下「引用例２」という。）の記載事項＞
　
(2-1)「（Ａ）高級脂肪酸セッケン、（Ｂ）・・・エーテル型界面活性剤及び（Ｃ）メタクリル酸−アクリル酸エステル共重合体を含有することを特徴とする身体洗浄用液状洗浄剤組成物」（１頁、左下欄、特許請求の範囲）
　
(2-2)「身体用洗浄剤に要求される使用時の泡立ち性、泡のクリーミィ性やすすぎ性、使用後のさっぱり感などをすべて満たし、かつ低温安定性の良好な身体用液状洗浄剤組成物を提供することを目的としてなされたものである」（２頁、左上欄３〜８行）
　
(2-3)「本発明の目的をそこなわない範囲で、必要に応じ種々の成分を配合することができる。この必要に応じて用いられる成分としては、例えば・・・ヤシ油脂肪酸モノエタノールアミド、ヤシ油脂肪酸ジエタノールアミド・・・などが挙げられる」（３頁、左下欄１２行〜右下欄１０行）
　
＜同じく拒絶の理由に記載された特開平３−２８１６９９号公報（以下「引用例３」という。）の記載事項＞
　
(3-1)「（Ａ）一般式（Ｉ）で表されるＮ−アシル酸性アミノ酸塩・・・の少なくとも一種または二種以上と（Ｂ）ＨＬＢ・・・が７〜１５のポリオキシエチレンアルキルエーテル型非イオン性界面活性剤の少なくとも一種または二種以上と（Ｃ）水とを必須成分とし・・・特徴とする透明ゲル状洗浄剤組成物」（１頁、左下欄〜右下欄、特許請求の範囲）
　
(3-2)「本発明の目的は・・・皮膚に対する作用が温和で且つ洗浄力、起泡力にすぐれたものである・・・透明ゲル状洗浄剤を提供することにある」（２頁、左下欄２〜９行）
　
(3-3)「更に、洗浄時あるいは洗浄後の風合いや感触を調製する目的で・・・ノニオン界面活性剤・・・を本発明の目的を達成する範囲で適宜添加することは何等差し支えない。これらのものには、・・・脂肪酸アルキロールアミド・・・が挙げられる」（４頁、右上欄１０行〜左下欄１６行）
　
＜同じく拒絶の理由に記載された特開平６−６５５９７号公報（以下「引用例４」という。）の記載事項＞
　
(4-1)「本発明は、水性媒質中に、主要有効成分として、非イオン界面活性剤を含み、少量の特定種類のアニオン界面活性剤およびさらに少量のベタイン両性界面活性剤を加えた・・・高起泡性軽質液体洗剤に関する」（段落【０００１】、２頁２欄３０〜３４行）
　
(4-2)「本発明の・・・目的は、望ましい高起泡性および洗浄性を有し、人の皮膚に対する刺戟の温和な新規の非イオン系液体洗剤を提供することにある」（段落【００１５】、３頁４欄５０行〜５欄２行）
　
(4-3)「前記の必須成分を、水ならびに場合により、アルキルモノエタノールアミド、・・・、アルキルジエタノールアミド、・・・またはラウリルジエタノールアミド・・・のような可溶化成分を含む水性媒質中に可溶化させる。・・・水性媒質は主として水であるけれども、液状組成物の粘度を調整し、かつ低温曇透明性・・・を調節するために前記可溶化剤を含有させるのが好ましい」（段落【００３６】、６頁１０欄１１〜２６行）
　
３．対比、判断
　
 （１）請求項１に係る発明と引用例１との対比 
　
　請求項１に係る発明は、下記成分（Ａ）〜（Ｃ）を含有し、下記成分（Ｄ）を含有しない、下記（Ｅ）の形態である皮膚洗浄剤組成物である。 
  
（Ａ）分岐脂肪族アルコールエチレンオキシド付加物の少なくとも１種または２種以上 
（Ｂ）水溶性高分子 
（Ｃ）水 
（Ｄ）油性基剤
（Ｅ）ジェル状
　
　これに対して引用例１の請求項１に記載の非イオン性界面活性剤において、アルコールアルコキシラート部分の第二分枝鎖又は第一分枝鎖アルコールは請求項１に係る発明の分岐脂肪族アルコールに相当し、アルコキシラート基が酸化エチレン残基（摘示事項1-6）の場合、アルコキシラートは請求項１に係る発明のエチレンオキシド付加物に相当し、引用例１の「１つ又はそれ以上の」とは請求項１に係る発明の「少なくとも１種または２種以上」に相当することは明らかであるから、引用例１の請求項１に記載の非イオン性界面活性剤は本願の請求項１に係る発明の構成成分（Ａ）に相当する。
　また、引用例１の請求項１１に記載の増粘剤は、「例えばＣａｒｂｏｐｏｌ類のようなカルボマー、ヒドロキシエチルセルロース、グアーゴム、カラギーナンゴム、キサンタンゴム」（摘示事項1-7）を含むが、これは本願明細書の段落【００１２】に具体的に挙げられている水溶性高分子である「カルボキシビニルポリマー、ヒドロキシエチルセルロース、カラギニン、グァーガム、キサンタンガム」であるから、引用例１の請求項１１に記載の増粘剤は、請求項１に係る発明の構成成分（Ｂ）に相当し、引用例１の請求項１に記載の「水性溶液」が水を含むことは明らかであるから請求項１に係る発明の構成成分（Ｃ）に相当し、また引用例１の請求項１４に記載の「ゲル」が「ジェル」と同一の形態を意味することは明らかであるから請求項１に係る発明の構成成分（Ｅ）に相当する。
　そして、引用例１には油性基剤成分であるシリコーン成分について、「さらにシリコーン成分を含有する請求項１〜１２のいずれか一項に記載の化粧品組成物。」（摘示事項1-4）及び「本発明の化粧品組成物は、メーキャップ除去に通常用いるその他の成分、並びに例えば・・・シリコーンのような少量の柔軟化剤油（組成物の約５重量％までで存在する）を含めたその他の化粧品組成物を含有してもよい。」（摘示事項1-8）と記載されていて任意に添加する成分であり、請求項１３の「さらに・・・」との記載からみて請求項１〜１２の組成物がシリコーン成分を含有しないものについて示されていることは明らかであって、メーキャップ除去剤や皮膚用の脱脂組成物は皮膚洗浄剤に相当する。
　してみれば、本願請求項１に係る発明と引用例１に記載された発明はともに
（Ａ）分岐脂肪族アルコールエチレンオキシド付加物の少なくとも１種または２種以上 
（Ｂ）水溶性高分子 
（Ｃ）水 
　の成分を含有し、
（Ｄ）油性基剤
　の成分を含有しない、
　（Ｄ）ジェル状の形態である皮膚洗浄剤組成物であり、両者は同一のものである。
　
（２）請求項２に係る発明と引用例１〜４との対比 
　
　請求項２に係る発明は、請求項１に係るジェル状皮膚洗浄剤組成物にさらにアミド型非イオン界面活性剤を配合することを特徴とするジェル状皮膚洗浄剤組成物である。
　引用例１には、アミド型非イオン界面活性剤を配合することについては記載がないが、引用例２〜４には、任意の添加成分として、
　「本発明の目的をそこなわない範囲で、必要に応じ種々の成分を配合することができる。この必要に応じて用いられる成分としては、例えば・・・ヤシ油脂肪酸モノエタノールアミド、ヤシ油脂肪酸ジエタノールアミド・・・などが挙げられる」（摘示事項2-3）
　「洗浄時あるいは洗浄後の風合いや感触を調製する目的で・・・ノニオン界面活性剤・・・を本発明の目的を達成する範囲で適宜添加することは何等差し支えない。これらのものには、・・・脂肪酸アルキロールアミド・・・等が挙げられる」（摘示事項3-3）及び
　「前記の必須成分を、・・・アルキルモノエタノールアミド、・・・、アルキルジエタノールアミド、・・・またはラウリルジエタノールアミド・・・のような可溶化成分を含む水性媒質中に可溶化させる。・・・液状組成物の粘度を調整し、かつ低温曇透明性・・・を調節するために前記可溶化剤を含有させるのが好ましい」（摘示事項4-3）と記載されていて、洗浄剤組成物にさらに洗浄時や洗浄後の風合いや感触等を調整するために他の界面活性剤を併用することが通常行われており、そのような目的で配合される界面活性剤としてアミド型非イオン界面活性剤が普通に用いられるものであるから、引用文献１に記載された発明においてさらにアミド型非イオン界面活性剤を配合することは当業者が容易に発明することができたものである。
　そして、請求項２に係る発明の奏する効果も、引用例１〜４から当業者が予測し得る範囲内のものである。
　
４．むすび
　
　したがって、本願の請求項１に係る発明は引用例１に記載された発明に該当するから特許法第２９条第１項第３号に該当して、特許を受けることができないものであり、本願の請求項２に係る発明は引用例１〜４に記載された発明に基づいて、当業者が容易に発明をすることができたものであるから、特許法第２９条第２項の規定により特許を受けることができないものである。
　よって、結論のとおり審決する。